【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
用紙上の原画像を撮像して画像データを生成するスキャナ機能、または、画像データに基づいて用紙に印刷画像を形成する画像形成機能を備えた画像処理装置において、
各ユーザ用の個別アカウントを管理するユーザ管理手段と、
当該画像処理装置にアクセスするユーザに対応する個別アカウントでログオンさせるローカルログオン手段と、
当該画像処理装置にログオンしたユーザに対して、外部装置を利用した画像処理サービスのサービス項目を提示し、実施する画像処理サービスをユーザ選択させるサービス提示手段と、
ユーザ選択された画像処理サービスを提供する外部装置に対し、複数のユーザに対する画像処理サービスに共用される予め設定された代表アカウントでログオンする外部ログオン手段と、
この外部装置に対し、ユーザ選択された画像処理サービスに係る処理の実施を指令する指令手段と、
を備える、ことを特徴とする画像処理装置。
【請求項２】
請求項１に記載の画像処理装置において、
代表アカウントは、外部装置側との契約により割り当てられ、当該画像処理装置においてはその管理者の入力に基づいて設定される、ことを特徴とする画像処理装置。
【請求項３】
請求項１に記載の画像処理装置において、
代表アカウントは、当該画像処理装置の識別子情報を用いて定められる識別子をもつ、ことを特徴とする画像処理装置。
【請求項４】
請求項３に記載の画像処理装置において、
外部ログオン手段においては、被認証情報を外部装置に送信して認証処理を受け、
この被認証情報は、外部装置側との契約により割り当てられ、当該画像処理装置の管理者の入力に基づいて設定される、ことを特徴とする画像処理装置。
【請求項５】
請求項３に記載の画像処理装置において、
外部装置は、当該画像処理装置と同一あるいは技術的に連携した企業によって提供され、
当該画像処理装置は、
外部ログオン手段においては、被認証情報を外部装置に送信して認証処理を受け、
この被認証情報としては、予めその企業によって定められた方式に基づいて、当該画像処理装置の識別子情報から生成可能な情報が設定される、ことを特徴とする画像処理装置。
【請求項６】
請求項１に記載の画像処理装置において、
外部ログオン手段においては、公開鍵暗号方式に基づいて認証処理を受ける、ことを特徴とする画像処理装置。
【請求項７】
請求項６に記載の画像処理装置において、
公開鍵の証明書、及び、対応する秘密鍵を保持し、
外部ログオン手段においては、この秘密鍵により暗号化した情報を外部装置に送信して認証処理を受ける、ことを特徴とする画像処理装置。
【請求項８】
請求項７に記載の画像処理装置において、
秘密鍵及び公開鍵の証明書は、工場出荷時に当該画像処理装置に組み込まれる、ことを特徴とする画像処理装置。
【請求項９】
請求項７に記載の画像処理装置において、
公開鍵の証明書は当該画像処理装置の識別子情報を含み、
代表アカウントは、この識別子情報を用いて定められる識別子をもつ、ことを特徴とする画像処理装置。
【請求項１０】
請求項１に記載の画像処理装置において、
ユーザ選択された画像処理サービスを担当する外部装置に対して、個別アカウントに対応して個別に設定されたアカウントでログオンする個別外部ログオン手段と、
外部装置の属性に応じて、外部ログオン手段によるログオンと個別外部ログオン手段によるログオンとを切り替える切替手段と、
を備える、ことを特徴とする画像処理装置。
【請求項１１】
用紙上の原画像を撮像して画像データを生成するスキャナ機能、または、画像データに基づいて用紙に印刷画像を形成する画像形成機能を備えた画像処理装置において実行されるプログラムであって、
各ユーザ用の個別アカウントを管理するユーザ管理手順と、
当該画像処理装置にアクセスするユーザに対応する個別アカウントでログオンさせるローカルログオン手順と、
当該画像処理装置にログオンしたユーザに対して、外部装置を利用した画像処理サービスのサービス項目を提示し、実施する画像処理サービスをユーザ選択させるサービス提示手順と、
ユーザ選択された画像処理サービスを提供する外部装置に対し、複数のユーザに対する画像処理サービスに共用される予め設定された代表アカウントでログオンする外部ログオン手順と、
この外部装置に対し、ユーザ選択された画像処理サービスに係る処理の実施を指令する指令手順と、
を含む、ことを特徴とする画像処理プログラム。
【請求項１２】
用紙上の原画像を撮像して画像データを生成するスキャナ機能、または、画像データに基づいて用紙に印刷画像を形成する画像形成機能を備えた画像処理装置において実行される方法であって、
各ユーザ用の個別アカウントを管理するユーザ管理ステップと、
当該画像処理装置にアクセスするユーザに対応する個別アカウントでログオンさせるローカルログオンステップと、
当該画像処理装置にログオンしたユーザに対して、外部装置を利用した画像処理サービスのサービス項目を提示し、実施する画像処理サービスをユーザ選択させるサービス提示ステップと、
ユーザ選択された画像処理サービスを提供する外部装置に対し、複数のユーザに対する画像処理サービスに共用される予め設定された代表アカウントでログオンする外部ログオンステップと、
この外部装置に対し、ユーザ選択された画像処理サービスに係る処理の実施を指令する指令ステップと、
を含む、ことを特徴とする画像処理方法。
【請求項１３】
用紙上の原画像を撮像して画像データを生成するスキャナ機能、または、画像データに基づいて用紙に印刷画像を形成する画像形成機能と、
外部装置を利用した画像処理サービスを行う機能と、
を備えた画像処理装置を制御する装置であって、
画像処理装置にログオンしたユーザの入力に基づいて、外部装置を利用した画像処理サービスの実行指示を受付ける受付手段と、
この外部装置に対して、複数のユーザに対する画像処理サービスに共用される予め設定された代表アカウントでログオンする外部ログオン手段と、
この外部装置に対して、受け付けた画像処理サービスの実行を指令する指令手段と、
を備える、ことを特徴とする制御装置。
【手続補正２】
【補正対象書類名】明細書
【補正対象項目名】０００９
【補正方法】変更
【補正の内容】
【０００９】
本発明の画像処理装置は、用紙上の原画像を撮像して画像データを生成するスキャナ機能、または、画像データに基づいて用紙に印刷画像を形成する画像形成機能を備えた画像処理装置において、各ユーザ用の個別アカウントを管理するユーザ管理手段と、当該画像処理装置にアクセスするユーザに対応する個別アカウントでログオンさせるローカルログオン手段と、当該画像処理装置にログオンしたユーザに対して、外部装置を利用した画像処理サービスのサービス項目を提示し、実施する画像処理サービスをユーザ選択させるサービス提示手段と、ユーザ選択された画像処理サービスを提供する外部装置に対し、複数のユーザに対する画像処理サービスに共用される予め設定された代表アカウントでログオンする外部ログオン手段と、この外部装置に対し、ユーザ選択された画像処理サービスに係る処理の実施を指令する指令手段と、を備える。
【手続補正３】
【補正対象書類名】明細書
【補正対象項目名】００２５
【補正方法】変更
【補正の内容】
【００２５】
本発明の画像処理プログラムは、用紙上の原画像を撮像して画像データを生成するスキャナ機能、または、画像データに基づいて用紙に印刷画像を形成する画像形成機能を備えた画像処理装置において実行されるプログラムであって、各ユーザ用の個別アカウントを管理するユーザ管理手順と、当該画像処理装置にアクセスするユーザに対応する個別アカウントでログオンさせるローカルログオン手順と、当該画像処理装置にログオンしたユーザに対して、外部装置を利用した画像処理サービスのサービス項目を提示し、実施する画像処理サービスをユーザ選択させるサービス提示手順と、ユーザ選択された画像処理サービスを提供する外部装置に対し、複数のユーザに対する画像処理サービスに共用される予め設定された代表アカウントでログオンする外部ログオン手順と、この外部装置に対し、ユーザ選択された画像処理サービスに係る処理の実施を指令する指令手順と、を含む。
【手続補正４】
【補正対象書類名】明細書
【補正対象項目名】００２６
【補正方法】変更
【補正の内容】
【００２６】
本発明の画像処理方法は、用紙上の原画像を撮像して画像データを生成するスキャナ機能、または、画像データに基づいて用紙に印刷画像を形成する画像形成機能を備えた画像処理装置において実行される方法であって、各ユーザ用の個別アカウントを管理するユーザ管理ステップと、当該画像処理装置にアクセスするユーザに対応する個別アカウントでログオンさせるローカルログオンステップと、当該画像処理装置にログオンしたユーザに対して、外部装置を利用した画像処理サービスのサービス項目を提示し、実施する画像処理サービスをユーザ選択させるサービス提示ステップと、ユーザ選択された画像処理サービスを提供する外部装置に対し、複数のユーザに対する画像処理サービスに共用される予め設定された代表アカウントでログオンする外部ログオンステップと、この外部装置に対し、ユーザ選択された画像処理サービスに係る処理の実施を指令する指令ステップと、を含む。